(57)【特許請求の範囲】
【請求項１】
ＴＤＤ無線通信システムにおいて、端末が上りリンク制御情報を伝送する方法であって、
前記端末が、セルのＵＬ−ＤＬ構成と特定の方程式とに従いＰＵＣＣＨの伝送電力パラメータを決定するステップと、
前記端末が、前記ＰＵＣＣＨの伝送電力パラメータに応じて、上りリンクサブフレームにおいて、基地局にＰＵＣＣＨを介してＨＡＲＱ−ＡＣＫ信号を伝送するステップと、
を有し、
前記特定の方程式は、ＤＡＩ値とＰＤＣＣＨの個数との差分にモジューロ−４演算を適用することを含み、前記ＤＡＩ値は、前記セル内の前記上りリンクサブフレームと関連するサブフレーム内で最後に検出されるＰＤＣＣＨ内のＤＡＩの値に相当し、前記ＰＤＣＣＨの個数は、前記セル内の前記上りリンクサブフレームと関連する前記サブフレーム内で検出されるスケジューリング−関連ＰＤＣＣＨの総個数に相当する、方法。
【請求項２】
前記スケジューリング−関連ＰＤＣＣＨは、ＰＤＳＣＨを伴うＰＤＣＣＨまたはＳＰＳ解除を示すＰＤＣＣＨの少なくとも１つを含む、請求項１に記載の方法。
【請求項３】
前記上りリンクサブフレームは、サブフレームｎに対応し、
前記ＰＵＣＣＨの伝送電力パラメータは、nHARQであり、
前記特定の方程式は、
【数１】
0005981582.tif 000054
ｍｏｄは、モジューロ演算を表す、請求項１に記載の方法。
【請求項４】
ＰＵＣＣＨの伝送電力は、下記式に従い決定され、
【数２】
0005981582.tif 000055
０または１と与えられる、請求項３に記載の方法。
【請求項５】
前記ＰＵＣＣＨの伝送電力は、下記式に従い決定され、
【数３】
0005981582.tif 000056
請求項４に記載の方法。
【請求項６】
前記ＵＬ−ＤＬ構成は、以下の表
【表１】
0005981582.tif 000057
に示されるＵＬ−ＤＬ構成＃１〜６のいずれか一つであり、
Ｄは下りリンクにおけるサブフレームを表し、Ｓは下りリンク区間、保護区間、及び上りリンク区間を含むサブフレームを表し、Ｕは上りリンクにおけるサブフレームを表す、請求項１に記載の方法。
【請求項７】
前記ＵＬ−ＤＬ構成は、ＵＬ−ＤＬ構成＃５である、請求項６に記載の方法。
【請求項８】
Ｋは、以下の表
【表２】
0005981582.tif 000058
に基づく前記ＵＬ−ＤＬ構成に従い決定される、請求項３に記載の方法。
【請求項９】
ＴＤＤ無線通信システムにおいて上りリンク制御情報を伝送するよう構成された端末であって、
無線周波数ユニットと、
前記無線周波数ユニットに動作可能に接続したプロセッサと、を備え、
前記プロセッサは、
セルのＵＬ−ＤＬ構成と特定の方程式とに従いＰＵＣＣＨの伝送電力パラメータを決定し、
前記ＰＵＣＣＨの伝送電力パラメータに応じて、上りリンクサブフレームにおいて、基地局にＰＵＣＣＨを介してＨＡＲＱ−ＡＣＫ信号を伝送するよう構成され、
前記特定の方程式は、ＤＡＩ値とＰＤＣＣＨの個数との差分にモジューロ−４演算を適用することを含み、前記ＤＡＩ値は、前記セル内の前記上りリンクサブフレームと関連するサブフレーム内で最後に検出されるＰＤＣＣＨ内のＤＡＩの値に相当し、前記ＰＤＣＣＨの個数は、前記セル内の前記上りリンクサブフレームと関連する前記サブフレーム内で検出されるスケジューリング−関連ＰＤＣＣＨの総個数に相当する、端末。
【請求項１０】
前記スケジューリング−関連ＰＤＣＣＨは、ＰＤＳＣＨを伴うＰＤＣＣＨまたはＳＰＳ解除を示すＰＤＣＣＨの少なくとも１つを含む、請求項９に記載の端末。
【請求項１１】
前記上りリンクサブフレームは、サブフレームｎに対応し、
前記ＰＵＣＣＨの伝送電力パラメータは、nHARQであり、
前記特定の方程式は、
【数４】
0005981582.tif 000059
ｍｏｄは、モジューロ演算を表す、請求項９に記載の端末。
【請求項１２】
ＰＵＣＣＨの伝送電力は、下記式に従い決定され、
【数５】
0005981582.tif 000060
０または１と与えられる、請求項１１に記載の端末。
【請求項１３】
前記ＰＵＣＣＨの伝送電力は、下記式に従い決定され、
【数６】
0005981582.tif 000061
請求項１２に記載の端末。
【請求項１４】
前記ＵＬ−ＤＬ構成は、以下の表
【表３】
0005981582.tif 000062
に示されるＵＬ−ＤＬ構成＃１〜６のいずれか一つであり、
Ｄは下りリンクにおけるサブフレームを表し、Ｓは下りリンク区間、保護区間、及び上りリンク区間を含むサブフレームを表し、Ｕは上りリンクにおけるサブフレームを表す、請求項９に記載の端末。
【請求項１５】
前記ＵＬ−ＤＬ構成は、ＵＬ−ＤＬ構成＃５である、請求項１４に記載の端末。
【請求項１６】
Ｋは、以下の表
【表４】
0005981582.tif 000063
に基づく前記ＵＬ−ＤＬ構成に従い決定される、請求項１１に記載の端末。
【発明の詳細な説明】
【技術分野】
【０００１】
本発明は、無線通信システムに係り、特に、制御情報を伝送する方法及びそのための装置に関する。
【背景技術】
【０００２】
無線通信システムが音声やデータなどのような種々の通信サービスを提供するために広範囲に展開されている。一般に、無線通信システムは、可用のシステムリソース（帯域幅、伝送パワーなど）を共有してマルチユーザーとの通信を支援し得る多重アクセス（ｍｕｌｔｉｐｌｅ  ａｃｃｅｓｓ）システムのことをいう。多重アクセスシステムの例には、ＣＤＭＡ（ｃｏｄｅ  ｄｉｖｉｓｉｏｎ  ｍｕｌｔｉｐｌｅ  ａｃｃｅｓｓ）システム、ＦＤＭＡ（ｆｒｅｑｕｅｎｃｙ  ｄｉｖｉｓｉｏｎ  ｍｕｌｔｉｐｌｅ  ａｃｃｅｓｓ）システム、ＴＤＭＡ（ｔｉｍｅ  ｄｉｖｉｓｉｏｎ  ｍｕｌｔｉｐｌｅ  ａｃｃｅｓｓ）システム、ＯＦＤＭＡ（ｏｒｔｈｏｇｏｎａｌ  ｆｒｅｑｕｅｎｃｙ  ｄｉｖｉｓｉｏｎ  ｍｕｌｔｉｐｌｅ  ａｃｃｅｓｓ）システム、ＳＣ−ＦＤＭＡ（ｓｉｎｇｌｅ  ｃａｒｒｉｅｒ  ｆｒｅｑｕｅｎｃｙ  ｄｉｖｉｓｉｏｎ  ｍｕｌｔｉｐｌｅ  ａｃｃｅｓｓ）システムなどがある。
【発明の概要】
【発明が解決しようとする課題】
【０００３】
本発明の目的は、無線通信システムにおいて制御情報を効率よく伝送する方法及びそのための装置を提供することにある。本発明の他の目的は、ＴＤＤ（Ｔｉｍｅ  Ｄｉｖｉｓｉｏｎ  Ｄｕｐｌｅｘ）システムにおいて上りリンク制御情報を効率よく伝送し、そのためのリソースを効率的に管理する方法及びそのための装置を提供することにある。
【０００４】
本発明で達成しようとする技術的課題は、上記の技術的課題に制限されず、言及していない他の技術的課題は、下の記載から、本発明の属する技術の分野における通常の知識を有する者には明確に理解されるであろう。
【課題を解決するための手段】
【０００５】
【表１】
0005981582.tif 000002
【０００６】
【表２】
0005981582.tif 000003
【０００７】
【表３】
0005981582.tif 000004
【０００８】
【表４】
0005981582.tif 000005
【０００９】
好適には、前記無線通信システムは、ＵＬ−ＤＬ構成＃１〜６のいずれか一つで動作する。
【００１０】
好適には、前記無線通信システムは、ＵＬ−ＤＬ構成＃５で動作する。
【発明の効果】
【００１１】
本発明によれば、無線通信システムにおいて制御情報を効率よく伝送することができる。具体的に、ＴＤＤシステムにおいて上りリンク制御情報を効率的に伝送し、そのためのリソースを効率的に管理することができる。
【００１２】
本発明で得られる効果は、以上に言及した効果に制限されず、言及していない別の効果は、下の記載から、本発明の属する技術の分野における通常の知識を有する者には明確に理解されるであろう。
【００１３】
本発明に関する理解を助けるために詳細な説明の一部として含まれる添付図面は、本発明の実施例を提供し、詳細な説明と共に本発明の技術的思想を説明する。
【図面の簡単な説明】
【００１４】
【図１】無線通信システムの一例である３ＧＰＰ ＬＴＥシステムに用いられる物理チャネル及びこれらのチャネルを用いた一般的な信号伝送方法を示す図である。
【図２】無線フレーム（ｒａｄｉｏ  ｆｒａｍｅ）の構造を示す図である。
【図３】下りリンクスロットのリソースグリッドを示す図である。
【図４】下りリンクサブフレームの構造を示す図である。
【図５】上りリンクサブフレームの構造を示す図である。
【図６】単一セル状況でＴＤＤ ＵＬ ＡＣＫ／ＮＡＣＫ（Ｕｐｌｉｎｋ  Ａｃｋｎｏｗｌｅｄｇｅｍｅｎｔ／Ｎｅｇａｔｉｖｅ  Ａｃｋｎｏｗｌｅｄｇｅｍｅｎｔ）伝送手順を示すフローチャートである。
【図７】キャリアアグリゲーション（Ｃａｒｒｉｅｒ  Ａｇｇｒｅｇａｔｉｏｎ、ＣＡ）通信システムを示す図である。
【図８】クロス−キャリアスケジューリングを示す図である。
【図９】Ｅ（Ｅｎｈａｎｃｅｄ）−ＰＵＣＣＨフォーマット（すなわち、ＰＵＣＣＨフォーマット３）を示す図である。
【図１０】Ｅ−ＰＵＣＣＨフォーマット（すなわち、ＰＵＣＣＨフォーマット３）を示す図である。
【図１１】従来のＰＵＣＣＨフォーマット３電力制御を示す図である。
【図１２】従来のＰＵＣＣＨフォーマット３電力制御を示す図である。
【図１３】従来のＰＵＣＣＨフォーマット３電力制御による問題点を示す図である。
【図１４】本発明の実施例に係るＰＵＣＣＨフォーマット３電力制御を示す図である。
【図１５】本発明の実施例に係るＰＵＣＣＨフォーマット３電力制御を示す図である。
【図１６】本発明の実施例に適用され得る基地局及び端末を示す図である。
【発明を実施するための形態】
【００１５】
以下の技術は、ＣＤＭＡ（ｃｏｄｅ  ｄｉｖｉｓｉｏｎ  ｍｕｌｔｉｐｌｅ  ａｃｃｅｓｓ）、ＦＤＭＡ（ｆｒｅｑｕｅｎｃｙ  ｄｉｖｉｓｉｏｎ  ｍｕｌｔｉｐｌｅ  ａｃｃｅｓｓ）、ＴＤＭＡ（ｔｉｍｅ  ｄｉｖｉｓｉｏｎ  ｍｕｌｔｉｐｌｅ  ａｃｃｅｓｓ）、ＯＦＤＭＡ（ｏｒｔｈｏｇｏｎａｌ  ｆｒｅｑｕｅｎｃｙ  ｄｉｖｉｓｉｏｎ  ｍｕｌｔｉｐｌｅ  ａｃｃｅｓｓ）、ＳＣ−ＦＤＭＡ（ｓｉｎｇｌｅ  ｃａｒｒｉｅｒ  ｆｒｅｑｕｅｎｃｙ  ｄｉｖｉｓｉｏｎ  ｍｕｌｔｉｐｌｅ  ａｃｃｅｓｓ）などのような様々な無線接続システムに用いることができる。ＣＤＭＡは、ＵＴＲＡ（Ｕｎｉｖｅｒｓａｌ  Ｔｅｒｒｅｓｔｒｉａｌ  Ｒａｄｉｏ  Ａｃｃｅｓｓ）やＣＤＭＡ２０００のような無線技術（ｒａｄｉｏ  ｔｅｃｈｎｏｌｏｇｙ）とすることができる。ＴＤＭＡは、ＧＳＭ（Ｇｌｏｂａｌ  Ｓｙｓｔｅｍ  ｆｏｒ  Ｍｏｂｉｌｅ  ｃｏｍｍｕｎｉｃａｔｉｏｎｓ）／ＧＰＲＳ（Ｇｅｎｅｒａｌ  Ｐａｃｋｅｔ  Ｒａｄｉｏ  Ｓｅｒｖｉｃｅ）／ＥＤＧＥ（Ｅｎｈａｎｃｅｄ  Ｄａｔａ  Ｒａｔｅｓ  ｆｏｒ  ＧＳＭ  Ｅｖｏｌｕｔｉｏｎ）のような無線技術とすることができる。ＯＦＤＭＡは、ＩＥＥＥ ８０２．１１（Ｗｉ−Ｆｉ）、ＩＥＥＥ ８０２．１６（ＷｉＭＡＸ）、ＩＥＥＥ ８０２−２０、Ｅ−ＵＴＲＡ（Ｅｖｏｌｖｅｄ  ＵＴＲＡ）などのような無線技術とすることができる。ＵＴＲＡは、ＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）の一部である。３ＧＰＰ（３ｒｄ  Ｇｅｎｅｒａｔｉｏｎ  Ｐａｒｔｎｅｒｓｈｉｐ  Ｐｒｏｊｅｃｔ） ＬＴＥ（ｌｏｎｇ  ｔｅｒｍ  ｅｖｏｌｕｔｉｏｎ）は、Ｅ−ＵＴＲＡを用いるＥ−ＵＭＴＳ（Ｅｖｏｌｖｅｄ  ＵＭＴＳ）の一部であり、下りリンクにおいてＯＦＤＭＡを採用し、上りリンクにおいてＳＣ−ＦＤＭＡを採用する。ＬＴＥ−Ａ（Ａｄｖａｎｃｅｄ）は、３ＧＰＰ ＬＴＥの進展したバージョンである。
【００１６】
説明を明確にするために、３ＧＰＰ ＬＴＥ／ＬＴＥ−Ａを中心に説明するが、これに本発明の技術的思想が制限されるわけではない。また、以下の説明で使われる特定用語は、本発明の理解を助けるために提供されるもので、このような特定用語の使用は、本発明の技術的思想から逸脱しない範囲で他の形態に変更されてもよい。
【００１７】
まず、本明細書で用いられる用語について整理する。
●ＨＡＲＱ−ＡＣＫ（Ｈｙｂｒｉｄ  Ａｕｔｏｍａｔｉｃ  Ｒｅｐｅａｔ  ｒｅＱｕｅｓt−Ａｃｋｎｏｗｌｅｄｇｅｍｅｎｔ）：下りリンク伝送（例、ＰＤＳＣＨあるいはＳＰＳ ｒｅｌｅａｓｅ ＰＤＣＣＨ）に対する受信応答結果、すなわち、ＡＣＫ／ＮＡＣＫ／ＤＴＸ応答（簡単に、ＡＣＫ／ＮＡＣＫ応答、ＡＣＫ／ＮＡＣＫ）のことを指す。ＡＣＫ／ＮＡＣＫ／ＤＴＸ応答は、ＡＣＫ、ＮＡＣＫ、ＤＴＸまたはＮＡＣＫ／ＤＴＸを意味する。特定ＣＣに対するＨＡＲＱ−ＡＣＫあるいは特定ＣＣのＨＡＲＱ−ＡＣＫは、当該ＣＣと関連している（例、当該ＣＣにスケジューリングされた）下りリンク信号（例、ＰＤＳＣＨ）に対するＡＣＫ／ＮＡＣＫ応答を意味する。ＰＤＳＣＨは伝送ブロックあるいはコードワードに代えてもよい。
●ＰＤＳＣＨ：ＤＬグラントＰＤＣＣＨに対応するＰＤＳＣＨを意味する。本明細書でＰＤＳＣＨはＰＤＳＣＨ ｗ／ＰＤＣＣＨと同じ意味で使われる。
●ＳＰＳ解除ＰＤＣＣＨ：ＳＰＳ解除を指示するＰＤＣＣＨを意味する。端末は、ＳＰＳ解除ＰＤＣＣＨに対するＡＣＫ／ＮＡＣＫ情報を上りリンクフィードバックする。
●ＳＰＳ ＰＤＳＣＨ：ＳＰＳにより半−静的に設定されたリソースを用いてＤＬ伝送されるＰＤＳＣＨを意味する。ＳＰＳ ＰＤＳＣＨは、対応するＤＬグラントＰＤＣＣＨがない。本明細書でＳＰＳ ＰＤＳＣＨはＰＤＳＣＨ ｗ／ｏ ＰＤＣＣＨと同じ意味で使われる。
●ＤＡＩ（Ｄｏｗｎｌｉｎｋ  Ａｓｓｉｇｎｍｅｎｔ  Ｉｎｄｅｘ）：ＰＤＣＣＨを用いて伝送されるＤＣＩに含まれる。ＤＡＩは、ＰＤＣＣＨの順序値またはカウンター値を表すことができる。便宜上、ＤＬグラントＰＤＣＣＨのＤＡＩフィールドが指示する値をＤＬ ＤＡＩと呼び、ＵＬグラントＰＤＣＣＨ内のＤＡＩフィールドが指示する値をＵＬ ＤＡＩと呼ぶ。
●ＣＡベースシステム：複数のコンポーネントキャリア（あるいはセル）を束ねて運営できる無線通信システムを意味する。ＣＡベース通信システムは、設定によって、一つのコンポーネントキャリア（あるいはセル）のみを用いることもでき、複数のコンポーネントキャリア（あるいはセル）を束ねて用いることもできる。束ねられるコンポーネントキャリア（あるいはセル）の個数は端末別に独立して構成されてもよい。
●ＣＣ（あるいはセル）をスケジューリングするＰＤＣＣＨ：該当のＣＣ（あるいはセル）のスケジューリングのためのＰＤＣＣＨを意味する。例えば、該当のＣＣ（セル）上のＰＤＳＣＨに対応するＰＤＣＣＨ、ＳＰＳ解除ＰＤＣＣＨが挙げられる。
●クロス−ＣＣスケジューリング：ＣＣ＃ａ（あるいはセル＃ａ）をスケジューリングするＰＤＣＣＨが、ＣＣ＃ａ（あるいはセル＃ａ）と異なるＣＣ＃ｂ（あるいはセル＃ｂ）を通じて伝送される動作を意味する。
●ノンクロス−ＣＣスケジューリング：各ＣＣ（あるいは各セル）をスケジューリングするＰＤＣＣＨが該当のＣＣ（あるいは該当のセル）を通じて伝送される動作を意味する。
【００１８】
また、本明細書で次のように用語が同等に用いられる。
●サービングセル（Ｓｅｒｖｉｎｇ  ｃｅｌｌ、ＳｅｒｖＣｅｌｌ）＝コンポーネントキャリア（ＣＣ）
●ＰＣｅｌｌ(Ｐｒｉｍａｒｙ  ｃｅｌｌ）＝ＡＣＫ／ＮＡＣＫ（あるいは、ＨＡＲＱ−ＡＣＫ）が伝送されるセル（あるいはＣＣ）
●ＰＵＣＣＨフォーマット３＝Ｅ−ＰＵＣＣＨフォーマット
●構成されたセル（ｃｏｎｆｉｇｕｒｅｄ  ｃｅｌｌ）＝ＲＲＣにより割り当てられたセル（あるいはＣＣ）
【００１９】
無線通信システムにおいて端末は基地局から下りリンク（Ｄｏｗｎｌｉｎｋ、ＤＬ）を通じて情報を受信し、端末は基地局に上りリンク（Ｕｐｌｉｎｋ、ＵＬ）を通じて情報を伝送する。基地局と端末とが送受信する情報はデータ及び種々の制御情報を含み、これら送受信する情報の種類／用途によって様々な物理チャネルが存在する。
【００２０】
図１は、３ＧＰＰ ＬＴＥシステムに用いられる物理チャネル及びこれらのチャネルを用いた一般的な信号伝送方法を説明するための図である。
【００２１】
電源が消えた状態で再び電源が入ったり、新しくセルに進入した端末は、段階Ｓ１０１で基地局と同期を取るなどの初期セル探索（Ｉｎｉｔｉａｌ  ｃｅｌｌ  ｓｅａｒｃｈ）作業を行う。そのために、端末は基地局からプライマリ同期チャネル（Ｐｒｉｍａｒｙ  Ｓｙｎｃｈｒｏｎｉｚａｔｉｏｎ  Ｃｈａｎｎｅｌ、Ｐ−ＳＣＨ）及びセカンダリ同期チャネル（Ｓｅｃｏｎｄａｒｙ  Ｓｙｎｃｈｒｏｎｉｚａｔｉｏｎ  Ｃｈａｎｎｅｌ、Ｓ−ＳＣＨ）を受信して基地局と同期を取り、セルＩＤなどの情報を獲得する。その後、端末は基地局から物理放送チャネル（Ｐｈｙｓｉｃａｌ  Ｂｒｏａｄｃａｓｔ  Ｃｈａｎｎｅｌ）を受信してセル内の放送情報を獲得することができる。一方、端末は、初期セル探索段階で下りリンク参照信号（Ｄｏｗｎｌｉｎｋ  Ｒｅｆｅｒｅｎｃｅ  Ｓｉｇｎａｌ、ＤＬ ＲＳ）を受信して下りリンクチャネル状態を確認することができる。
【００２２】
初期セル探索を終えた端末は、段階Ｓ１０２で、物理下りリンク制御チャネル（Ｐｈｙｓｉｃａｌ  Ｄｏｗｎｌｉｎｋ  Ｃｏｎｔｒｏｌ  Ｃｈａｎｎｅｌ、ＰＤＣＣＨ）及び物理下りリンク制御チャネル情報に基づく物理下りリンク共有チャネル（Ｐｈｙｓｉｃａｌ  Ｄｏｗｎｌｉｎｋ  Ｃｏｎｔｒｏｌ  Ｃｈａｎｎｅｌ、ＰＤＳＣＨ）を受信して、より具体的なシステム情報を獲得することができる。
【００２３】
続いて、端末は基地局への接続を完了するために、段階Ｓ１０３乃至段階Ｓ１０６のようなランダムアクセス手順（Ｒａｎｄｏｍ  Ａｃｃｅｓｓ  Ｐｒｏｃｅｄｕｒｅ）を行うことができる。そのために、端末は、物理ランダムアクセスチャネル（Ｐｈｙｓｉｃａｌ  Ｒａｎｄｏｍ  Ａｃｃｅｓｓ  Ｃｈａｎｎｅｌ、ＰＲＡＣＨ）を用いてプリアンブル（ｐｒｅａｍｂｌｅ）を伝送し（Ｓ１０３）、物理下りリンク制御チャネル及びそれに対応する物理下りリンク共有チャネルを用いてプリアンブルに対する応答メッセージを受信することができる（Ｓ１０４）。競合ベースのランダムアクセスの場合は、追加の物理ランダムアクセスチャネルの伝送（Ｓ１０５）及び物理下りリンク制御チャネル及びそれに対応する物理下りリンク共有チャネル受信（Ｓ１０６）のような衝突解決手順（Ｃｏｎｔｅｎｔｉｏｎ  Ｒｅｓｏｌｕｔｉｏｎ  Ｐｒｏｃｅｄｕｒｅ）を行うことができる。
【００２４】
上述の手順を行った端末は、その後、一般的な上り／下りリンク信号伝送手順として、物理下りリンク制御チャネル／物理下りリンク共有チャネルの受信（Ｓ１０７）、及び物理上りリンク共有チャネル（Ｐｈｙｓｉｃａｌ  Ｕｐｌｉｎｋ  Ｓｈａｒｅｄ  Ｃｈａｎｎｅｌ、ＰＵＳＣＨ）／物理上りリンク制御チャネル（Ｐｈｙｓｉｃａｌ  Ｕｐｌｉｎｋ  Ｃｏｎｔｒｏｌ  Ｃｈａｎｎｅｌ、ＰＵＣＣＨ）の伝送（Ｓ１０８）を行うことができる。端末が基地局に伝送する制御情報を総称して上りリンク制御情報（Ｕｐｌｉｎｋ  Ｃｏｎｔｒｏｌ  Ｉｎｆｏｒｍａｔｉｏｎ、ＵＣＩ）と呼ぶ。ＵＣＩは、ＨＡＲＱ ＡＣＫ／ＮＡＣＫ（Ｈｙｂｒｉｄ  Ａｕｔｏｍａｔｉｃ  Ｒｅｐｅａｔ  ｒｅＱｕｅｓｔ  Ａｃｋｎｏｗｌｅｄｇｅｍｅｎｔ／Ｎｅｇａｔｉｖｅ−ＡＣＫ）、ＳＲ（Ｓｃｈｅｄｕｌｉｎｇ  Ｒｅｑｕｅｓｔ）、ＣＱＩ（Ｃｈａｎｎｅｌ  Ｑｕａｌｉｔｙ  Ｉｎｄｉｃａｔｏｒ）、ＰＭＩ（Ｐｒｅｃｏｄｉｎｇ  Ｍａｔｒｉｘ  Ｉｎｄｉｃａｔｏｒ）、ＲＩ（Ｒａｎｋ  Ｉｎｄｉｃａｔｉｏｎ）などを含む。本明細書で、ＨＡＲＱ ＡＣＫ／ＮＡＣＫは、ＨＡＲＱ−ＡＣＫあるいはＡＣＫ／ＮＡＣＫ（Ａ／Ｎ）と略称されてもよい。ＨＡＲＱ−ＡＣＫは、ポジティブＡＣＫ（簡単に、ＡＣＫ）、ネガティブＡＣＫ（ＮＡＣＫ）、ＤＴＸ及びＮＡＣＫ／ＤＴＸのうち少なくとも１種を含む。ＵＣＩはＰＵＣＣＨを通じて伝送されるのが一般的であるが、制御情報及びトラフィックデータが同時に伝送されるべき場合にはＰＵＳＣＨを通じて伝送されてもよい。また、ネットワークの要請／指示に応じてＰＵＳＣＨを用いてＵＣＩを非周期的に伝送してもよい。
【００２５】
図２に、無線フレームの構造を例示する。セルラーＯＦＤＭ無線パケット通信システムにおいて、上りリンク／下りリンクデータパケット伝送は、サブフレーム（ｓｕｂｆｒａｍｅ）単位になされ、１サブフレームは、複数のＯＦＤＭシンボルを含む一定時間区間と定義される。３ＧＰＰ ＬＴＥ標準では、ＦＤＤ（Ｆｒｅｑｕｅｎｃｙ  Ｄｉｖｉｓｉｏｎ  Ｄｕｐｌｅｘ）に適用可能なタイプ１無線フレーム（ｒａｄｉｏ  ｆｒａｍｅ）構造と、ＴＤＤ（Ｔｉｍｅ  Ｄｉｖｉｓｉｏｎ  Ｄｕｐｌｅｘ）に適用可能なタイプ２無線フレーム構造を支援する。
【００２６】
図２（ａ）は、タイプ１無線フレームの構造を例示する図である。下りリンク無線フレーム（ｒａｄｉｏ  ｆｒａｍｅ）は、１０個のサブフレーム（ｓｕｂｆｒａｍｅ）で構成され、１サブフレームは時間領域（ｔｉｍｅ  ｄｏｍａｉｎ）において２個のスロット（ｓｌｏｔ）で構成される。１サブフレームが伝送されるのにかかる時間をＴＴＩ（ｔｒａｎｓｍｉｓｓｉｏｎ  ｔｉｍｅ  ｉｎｔｅｒｖａｌ）という。例えば、１サブフレームの長さは１ｍｓであり、１スロットの長さは０．５ｍｓでよい。１スロットは、時間領域において複数のＯＦＤＭシンボルを含み、周波数領域において複数のリソースブロック（Ｒｅｓｏｕｒｃｅ  Ｂｌｏｃｋ、ＲＢ）を含む。３ＧＰＰ ＬＴＥシステムでは、下りリンクでＯＦＤＭＡを使用するので、ＯＦＤＭシンボルが１シンボル区間を表す。ＯＦＤＭシンボルをＳＣ−ＦＤＭＡシンボルまたはシンボル区間と呼ぶこともできる。リソース割当単位としてのリソースブロック（ＲＢ）は、１スロットで複数個の連続した副搬送波（ｓｕｂｃａｒｒｉｅｒ）を含むことができる。
【００２７】
１スロットに含まれるＯＦＤＭシンボルの数は、ＣＰ（Ｃｙｃｌｉｃ  Ｐｒｅｆｉｘ）の構成（ｃｏｎｆｉｇｕｒａｔｉｏｎ）によって異なることがある。ＣＰには、拡張されたＣＰ（ｅｘｔｅｎｄｅｄ  ＣＰ）とノーマルＣＰ（ｎｏｒｍａｌ  ＣＰ）がある。例えば、ＯＦＤＭシンボルがノーマルＣＰにより構成された場合に、１スロットに含まれるＯＦＤＭシンボルの数は７個でよい。ＯＦＤＭシンボルが拡張されたＣＰにより構成された場合に、１ ＯＦＤＭシンボルの長さが増えるから、１スロットに含まれるＯＦＤＭシンボルの数は、ノーマルＣＰの場合に比べて少ない。拡張されたＣＰの場合に、例えば、１スロットに含まれるＯＦＤＭシンボルの数は６個でよい。端末が高速で移動する場合などのようにチャネル状態が不安定な場合に、シンボル間干渉をより減らすために拡張されたＣＰを用いることができる。
【００２８】
ノーマルＣＰが用いられる場合に１スロットは７個のＯＦＤＭシンボルを含むので、１サブフレームは１４個のＯＦＤＭシンボルを含む。ここで、各サブフレームの先頭の最大３個のＯＦＤＭシンボルがＰＤＣＣＨ（ｐｈｙｓｉｃａｌ  ｄｏｗｎｌｉｎｋ  ｃｏｎｔｒｏｌ  ｃｈａｎｎｅｌ）に割り当てられ、残りのＯＦＤＭシンボルはＰＤＳＣＨ（ｐｈｙｓｉｃａｌ  ｄｏｗｎｌｉｎｋ  ｓｈａｒｅｄ  ｃｈａｎｎｅｌ）に割り当てられるとよい。
【００２９】
図２（ｂ）は、タイプ２無線フレームの構造を例示する図である。タイプ２無線フレームは、２個のハーフフレーム（ｈａｌｆ  ｆｒａｍｅ）で構成され、各ハーフフレームは、５個のサブフレーム、ＤｗＰＴＳ（Ｄｏｗｎｌｉｎｋ  Ｐｉｌｏｔ  Ｔｉｍｅ  Ｓｌｏｔ）、保護区間（Ｇｕａｒｄ  Ｐｅｒｉｏｄ、ＧＰ）及びＵｐＰＴＳ（Ｕｐｌｉｎｋ  Ｐｉｌｏｔ  Ｔｉｍｅ  Ｓｌｏｔ）で構成され、１サブフレームは２スロットで構成される。ＤｗＰＴＳは、端末での初期セル探索、同期化またはチャネル推定に用いられる。ＵｐＰＴＳは、基地局でのチャネル推定、及び端末の上りリンク伝送同期を合せるのに用いられる。保護区間は、上りリンクと下りリンクとの間に下りリンク信号の多重経路遅延に起因する上りリンクにおける干渉を除去するための区間である。
【００３０】
表１に、ＴＤＤモードにおいて無線フレーム内のサブフレームのＵＬ−ＤＬ構成（Ｕｐｌｉｎｋ−Ｄｏｗｎｌｉｎｋ  Ｃｏｎｆｉｇｕｒａｔｉｏｎ）を例示する。
【００３１】
【表５】
0005981582.tif 000006
【００３２】
表１で、Ｄは下りリンクサブフレームを、Ｕは上りリンクサブフレームを、Ｓは特別（ｓｐｅｃｉａｌ）サブフレームを表す。特別サブフレームは、ＤｗＰＴＳ（Ｄｏｗｎｌｉｎｋ  Ｐｉｌｏｔ  ＴｉｍｅＳｌｏｔ）、ＧＰ（Ｇｕａｒｄ  Ｐｅｒｉｏｄ）、ＵｐＰＴＳ（Ｕｐｌｉｎｋ  Ｐｉｌｏｔ  ＴｉｍｅＳｌｏｔ）を含む。ＤｗＰＴＳは、下りリンク伝送用に留保された時間区間であり、ＵｐＰＴＳは、上りリンク伝送用に留保された時間区間である。
【００３３】
上記の無線フレームの構造は例示に過ぎず、無線フレームに含まれるサブフレームの数、サブフレームに含まれるスロットの数またはスロットに含まれるシンボルの数は様々に変更可能である。
【００３４】
図３に、下りリンクスロットのリソースグリッドを例示する。
【００３５】
図３を参照すると、下りリンクスロットは、時間ドメインで複数のＯＦＤＭシンボルを含む。１下りリンクスロットは、７（６）個のＯＦＤＭシンボルを含み、リソースブロックは周波数ドメインで１２個の副搬送波を含むことができる。リソースグリッド上の各要素（ｅｌｅｍｅｎｔ）はリソース要素（Ｒｅｓｏｕｒｃｅ  Ｅｌｅｍｅｎｔ、ＲＥ）と呼ばれる。１ ＲＢは１２×７（６）個のＲＥを含む。下りリンクスロットに含まれるＲＢの個数ＮRBは下りリンク伝送帯域に依存する。上りリンクスロットの構造は、ＯＦＤＭシンボルがＳＣ−ＦＤＭＡシンボルに取り替えられる以外は、下りリンクスロットの構造と同一である。
【００３６】
図４は、下りリンクサブフレームの構造を例示する図である。
【００３７】
図４を参照すると、サブフレームの１番目のスロットにおいて先頭部に位置している最大３（４）個のＯＦＤＭシンボルは、制御チャネルが割り当てられる制御領域に相当する。残りのＯＦＤＭシンボルは、ＰＤＳＣＨ（Ｐｈｙｓｉｃａｌ  Ｄｏｗｎｌｉｎｋ  Ｓｈａｒｅｄ  ＣＨａｎｎｅｌ）が割り当てられるデータ領域に相当する。ＬＴＥで用いられる下りリンク制御チャネルの例には、ＰＣＦＩＣＨ（Ｐｈｙｓｉｃａｌ  Ｃｏｎｔｒｏｌ  Ｆｏｒｍａｔ  Ｉｎｄｉｃａｔｏｒ  Ｃｈａｎｎｅｌ）、ＰＤＣＣＨ（Ｐｈｙｓｉｃａｌ  Ｄｏｗｎｌｉｎｋ  Ｃｏｎｔｒｏｌ  Ｃｈａｎｎｅｌ）、ＰＨＩＣＨ（Ｐｈｙｓｉｃａｌ  ｈｙｂｒｉｄ  ＡＲＱｉｎｄｉｃａｔｏｒ  Ｃｈａｎｎｅｌ）などがある。ＰＣＦＩＣＨは、サブフレームの１番目のＯＦＤＭシンボルで伝送され、サブフレーム内において制御チャネルの伝送に使われるＯＦＤＭシンボルの個数に関する情報を運ぶ。ＰＨＩＣＨは、上りリンク伝送の応答としてＨＡＲＱ ＡＣＫ／ＮＡＣＫ（Ｈｙｂｒｉｄ  Ａｕｔｏｍａｔｉｃ  Ｒｅｐｅａｔ  ｒｅｑｕｅｓｔ  ａｃｋｎｏｗｌｅｄｇｍｅｎｔ／ｎｅｇａｔｉｖｅ−ａｃｋｎｏｗｌｅｄｇｍｅｎｔ）信号を運ぶ。
【００３８】
ＰＤＣＣＨを通じて伝送される制御情報をＤＣＩ（Ｄｏｗｎｌｉｎｋ  Ｃｏｎｔｒｏｌ  Ｉｎｆｏｒｍａｔｉｏｎ）と呼ぶ。ＤＣＩフォーマットは、上りリンク用にフォーマット０、３、３Ａ、４、下りリンク用にフォーマット１、１Ａ、１Ｂ、１Ｃ、１Ｄ、２、２Ａ、２Ｂ、２Ｃなどのフォーマットが定義されている。ＤＣＩフォーマットは、用途によって、ホッピングフラグ（ｈｏｐｐｉｎｇ  ｆｌａｇ）、ＲＢ割当、ＭＣＳ（ｍｏｄｕｌａｔｉｏｎ  ｃｏｄｉｎｇ  ｓｃｈｅｍｅ）、ＲＶ（ｒｅｄｕｎｄａｎｃｙ  ｖｅｒｓｉｏｎ）、ＮＤＩ（ｎｅｗ  ｄａｔａ  ｉｎｄｉｃａｔｏｒ）、ＴＰＣ（ｔｒａｎｓｍｉｔ  ｐｏｗｅｒ  ｃｏｎｔｒｏｌ）、サイクリックシフトＤＭ ＲＳ（ｄｅｍｏｄｕｌａｔｉｏｎ  ｒｅｆｅｒｅｎｃｅ  ｓｉｇｎａｌ）、ＣＱＩ（ｃｈａｎｎｅｌ  ｑｕａｌｉｔｙ  ｉｎｆｏｒｍａｔｉｏｎ）要請、ＨＡＲＱプロセス番号、ＴＰＭＩ（ｔｒａｎｓｍｉｔｔｅｄ  ｐｒｅｃｏｄｉｎｇ  ｍａｔｒｉｘ  ｉｎｄｉｃａｔｏｒ）、ＰＭＩ（ｐｒｅｃｏｄｉｎｇ  ｍａｔｒｉｘ  ｉｎｄｉｃａｔｏｒ）確認（ｃｏｎｆｉｒｍａｔｉｏｎ）などの情報を選択的に含む。
【００３９】
ＰＤＣＣＨは、下りリンク共有チャネル（ｄｏｗｎｌｉｎｋ  ｓｈａｒｅｄ  ｃｈａｎｎｅｌ、ＤＬ−ＳＣＨ）の伝送フォーマット及びリソース割当情報、上りリンク共有チャネル（ｕｐｌｉｎｋ  ｓｈａｒｅｄ  ｃｈａｎｎｅｌ、ＵＬ−ＳＣＨ）の伝送フォーマット及びリソース割当情報、ページングチャネル（ｐａｇｉｎｇ  ｃｈａｎｎｅｌ、ＰＣＨ）上のページング情報、ＤＬ−ＳＣＨ上のシステム情報、ＰＤＳＣＨ上で伝送されるランダムアクセス応答のような上位層制御メッセージのリソース割当情報、端末グループ内の個別端末に対するＴｘパワー制御命令セット、Ｔｘパワー制御命令、ＶｏＩＰ（Ｖｏｉｃｅ  ｏｖｅｒ  ＩＰ）の活性化指示情報などを運ぶ。複数のＰＤＣＣＨが制御領域内で伝送され、端末は、複数のＰＤＣＣＨをモニタリングすることもできる。ＰＤＣＣＨは、一つまたは複数の連続した制御チャネル要素（ｃｏｎｔｒｏｌ  ｃｈａｎｎｅｌ  ｅｌｅｍｅｎｔ、ＣＣＥ）の集合（ａｇｇｒｅｇａｔｉｏｎ）上で伝送される。ＣＣＥは、ＰＤＣＣＨに、無線チャネル状態に基づくコーディングレートを提供するのに使われる論理的割当ユニットである。ＣＣＥは、複数のリソース要素グループ（ｒｅｓｏｕｒｃｅ  ｅｌｅｍｅｎｔ  ｇｒｏｕｐ、ＲＥＧ）に対応する。ＰＤＣＣＨのフォーマット及びＰＤＣＣＨビットの個数は、ＣＣＥの個数によって決定される。基地局は、端末に伝送されるＤＣＩに基づいてＰＤＣＣＨフォーマットを決定し、制御情報にＣＲＣ（ｃｙｃｌｉｃ  ｒｅｄｕｎｄａｎｃｙ  ｃｈｅｃｋ）を付加する。ＣＲＣには、ＰＤＣＣＨの所有者または使用目的に基づいて識別子（例、ＲＮＴＩ（ｒａｄｉｏ  ｎｅｔｗｏｒｋ  ｔｅｍｐｏｒａｒｙ  ｉｄｅｎｔｉｆｉｅｒ））をマスキング（または、スクランブル）することができる。例えば、ＰＤＣＣＨが特定端末のためのものであると、該当の端末の識別子（例、ｃｅｌｌ−ＲＮＴＩ（Ｃ−ＲＮＴＩ））をＣＲＣにマスキングすることができる。ＰＤＣＣＨがページングメッセージのためのものであると、ページング識別子（例、ｐａｇｉｎｇ−ＲＮＴＩ（Ｐ−ＲＮＴＩ））をＣＲＣにマスキングすることができる。ＰＤＣＣＨがシステム情報（より具体的に、システム情報ブロック（ｓｙｓｔｅｍ  ｉｎｆｏｒｍａｔｉｏｎ  ｂｌｏｃｋ、ＳＩＢ））のためのものであると、ＳＩ−ＲＮＴＩ（ｓｙｓｔｅｍ  ｉｎｆｏｒｍａｔｉｏｎ  ＲＮＴＩ）をＣＲＣにマスキングすることができる。ＰＤＣＣＨがランダムアクセス応答のためのものであると、ＲＡ−ＲＮＴＩ（ｒａｎｄｏｍ  ａｃｃｅｓｓ−ＲＮＴＩ）をＣＲＣにマスキングすることができる。
【００４０】
図５には、ＬＴＥで用いられる上りリンクサブフレームの構造を例示する。
【００４１】
図５を参照すると、上りリンクサブフレームは、複数（例、２個）のスロットを含む。スロットは、ＣＰ（Ｃｙｃｌｉｃ  Ｐｒｅｆｉｘ）の長さによって異なった数のＳＣ−ＦＤＭＡシンボルを含むことができる。上りリンクサブフレームは周波数領域においてデータ領域と制御領域とに区別される。データ領域は、ＰＵＳＣＨを含み、音声などのデータ信号を伝送するのに用いられる。制御領域は、ＰＵＣＣＨを含み、上りリンク制御情報（Ｕｐｌｉｎｋ  Ｃｏｎｔｒｏｌ  Ｉｎｆｏｒｍａｔｉｏｎ、ＵＣＩ）を伝送するのに用いられる。ＰＵＣＣＨは、周波数軸においてデータ領域の両端部に位置しているＲＢ対（ＲＢ  ｐａｉｒ）を含み、スロットを境界にホッピングする。
【００４２】
下記の制御情報を伝送するのにＰＵＣＣＨを用いることができる。
【００４３】
- ＳＲ（Ｓｃｈｅｄｕｌｉｎｇ  Ｒｅｑｕｅｓｔ）：上りリンクＵＬ−ＳＣＨリソースを要請するのに用いる情報である。ＯＯＫ（Ｏｎ−Ｏｆｆ  Ｋｅｙｉｎｇ）方式を用いて伝送する。
【００４４】
- ＨＡＲＱ−ＡＣＫ／ＮＡＣＫ：ＰＤＳＣＨ上の下りリンクデータパケットに対する応答信号である。下りリンクデータパケットの受信に成功したか否かを示す。単一の下りリンクコードワード（ＣｏｄｅＷｏｒｄ、ＣＷ）に対する応答としてＡＣＫ／ＮＡＣＫ １ビットが伝送され、２つの下りリンクコードワードに対する応答としてＡＣＫ／ＮＡＣＫ ２ビットが伝送される。
【００４５】
- ＣＱＩ（Ｃｈａｎｎｅｌ  Ｑｕａｌｉｔｙ  Ｉｎｄｉｃａｔｏｒ）：下りリンクチャネルに対するフィードバック情報である。ＭＩＭＯ（Ｍｕｌｔｉｐｌｅ  Ｉｎｐｕｔ  Ｍｕｌｔｉｐｌｅ  Ｏｕｔｐｕｔ）関連フィードバック情報は、ＲＩ（Ｒａｎｋ  Ｉｎｄｉｃａｔｏｒ）、ＰＭＩ（Ｐｒｅｃｏｄｉｎｇ  Ｍａｔｒｉｘ  Ｉｎｄｉｃａｔｏｒ）、ＰＴＩ（Ｐｒｅｃｏｄｉｎｇ  Ｔｙｐｅ  Ｉｎｄｉｃａｔｏｒ）などを含む。サブフレーム当たり２０ビットが用いられる。
【００４６】
端末がサブフレームで伝送可能な制御情報（ＵＣＩ）の量は、制御情報の伝送に可用なＳＣ−ＦＤＭＡの個数に依存する。制御情報伝送に可用なＳＣ−ＦＤＭＡは、サブフレームにおいて参照信号伝送のためのＳＣ−ＦＤＭＡシンボルを除いた残りのＳＣ−ＦＤＭＡシンボルを意味し、ＳＲＳ（Ｓｏｕｎｄｉｎｇ  Ｒｅｆｅｒｅｎｃｅ  Ｓｉｇｎａｌ）が設定されたサブフレームでは、サブフレームの最後のＳＣ−ＦＤＭＡシンボルも除外される。参照信号は、ＰＵＣＣＨのコヒーレント検出に用いられる。ＰＵＣＣＨは、伝送される情報によって７個のフォーマットを支援する。
【００４７】
表２に、ＬＴＥにおいてＰＵＣＣＨフォーマットとＵＣＩとのマッピング関係を示す。
【００４８】
【表６】
0005981582.tif 000007
【００４９】
ＬＴＥ端末は、ＰＵＣＣＨとＰＵＳＣＨを同時に伝送できず、ＰＵＳＣＨが伝送されるサブフレームでＵＣＩ（例、ＣＱＩ／ＰＭＩ、ＨＡＲＱ−ＡＣＫ、ＲＩなど）を伝送する必要がある場合に、ＵＣＩをＰＵＳＣＨ領域に多重化する。一例として、ＰＵＳＣＨ伝送が割り当てられたサブフレームでＨＡＲＱ−ＡＣＫを伝送しなければならない場合に、端末はＵＬ−ＳＣＨデータとＨＡＲＱ−ＡＣＫとをＤＦＴ−拡散前に多重化した後、ＰＵＳＣＨを通じて制御情報とデータを共に伝送する。
【００５０】
次に、ＴＤＤシステムのＡＣＫ／ＮＡＣＫ伝送過程について説明する。ＴＤＤ方式は、同じ周波数帯域を時間ドメインでＤＬサブフレームとＵＬサブフレームとに区分して使用する（図２（ｂ）参照）。そのため、ＤＬ／ＵＬ非対称データトラフィック状況では、ＤＬサブフレームが多く割り当てられたり、ＵＬサブフレームが多く割り当てられることがある。したがって、ＴＤＤ方式ではＤＬサブフレームとＵＬサブフレームとが一対一で対応しない場合が発生する。特に、ＤＬサブフレームの数がＵＬサブフレームよりも多い場合に、端末は、複数のＤＬサブフレーム上の複数のＰＤＳＣＨ（及び／またはＡＣＫ／ＮＡＣＫ応答を要するＰＤＣＣＨ）に対するＡＣＫ／ＮＡＣＫ応答を、一つのＵＬサブフレームで伝送しなければならない状況が発生する。例えば、ＴＤＤ構成によって、ＤＬサブフレーム：ＵＬサブフレーム＝Ｍ：１に設定することができる。ここで、Ｍは一つのＵＬサブフレームに対応するＤＬサブフレームの個数である。この場合、端末は、Ｍ個のＤＬサブフレーム上の複数のＰＤＳＣＨ（あるいはＡＣＫ／ＮＡＣＫ応答を要するＰＤＣＣＨ）に対するＡＣＫ／ＮＡＣＫ応答を、一つのＵＬサブフレームで伝送しなければならない。
【００５１】
図６には、単一セル状況でＴＤＤ ＵＬ ＡＣＫ／ＮＡＣＫ伝送過程を示す。
【００５２】
図６を参照すると、端末は、Ｍ個のＤＬサブフレーム（Ｓｕｂｆｒａｍｅ、ＳＦ）上で一つ以上のＰＤＳＣＨ信号を受信することができる（Ｓ５０２＿０〜Ｓ５０２＿Ｍ−１）。それぞれのＰＤＳＣＨ信号は伝送モードによって１つまたは複数（例、２つ）の伝送ブロック（ＴＢ）（あるいは、コードワード（ＣＷ））を伝送するのに用いられる。また、図示してはいないが、段階Ｓ５０２＿０〜Ｓ５０２＿Ｍ−１で、ＡＣＫ／ＮＡＣＫ応答を要するＰＤＣＣＨ信号、例えば（下りリンク）ＳＰＳ解除（Ｓｅｍｉ-Ｐｅｒｓｉｓｔｅｎｔ  Ｓｃｈｅｄｕｌｉｎｇ  ｒｅｌｅａｓｅ）を指示するＰＤＣＣＨ信号（簡略に、ＳＰＳ解除ＰＤＣＣＨ信号）も受信されてもよい。Ｍ個のＤＬサブフレームにＰＤＳＣＨ信号及び／またはＳＰＳ解除ＰＤＣＣＨ信号が存在すると、端末はＡＣＫ／ＮＡＣＫを伝送するための過程（例、ＡＣＫ／ＮＡＣＫ（ペイロード）生成、ＡＣＫ／ＮＡＣＫリソース割当など）を経て、Ｍ個のＤＬサブフレームに対応する一つのＵＬサブフレームを通じてＡＣＫ／ＮＡＣＫを伝送する（Ｓ５０４）。ＡＣＫ／ＮＡＣＫは、段階Ｓ５０２＿０〜Ｓ５０２＿Ｍ−１のＰＤＳＣＨ信号及び／またはＳＰＳ解除ＰＤＣＣＨ信号に関する受信応答情報を含む。ＡＣＫ／ＮＡＣＫは基本的にＰＵＣＣＨを介して伝送されるが、ＡＣＫ／ＮＡＣＫ伝送時点にＰＵＳＣＨ伝送があると、ＡＣＫ／ＮＡＣＫはＰＵＳＣＨを介して伝送される。ＡＣＫ／ＮＡＣＫ伝送に表２の種々のＰＵＣＣＨフォーマットを用いることができる。また、ＰＵＣＣＨフォーマットにより伝送されるＡＣＫ／ＮＡＣＫビット数を減らすために、ＡＣＫ／ＮＡＣＫバンドリング（ｂｕｎｄｌｉｎｇ）、ＡＣＫ／ＮＡＣＫチャネル選択（ｃｈａｎｎｅｌ  ｓｅｌｅｃｔｉｏｎ）のような種々の方法を用いてもよい。
【００５３】
上述したように、ＴＤＤでは、Ｍ個のＤＬサブフレームで受信したデータに対するＡＣＫ／ＮＡＣＫが一つのＵＬサブフレームを通じて伝送され（すなわち、Ｍ ＤＬ ＳＦ（ｓ）：１ ＵＬ ＳＦ）、これらの関係はＤＡＳＩ（Ｄｏｗｎｌｉｎｋ  Ａｓｓｏｃｉａｔｉｏｎ  Ｓｅｔ  Ｉｎｄｅｘ）によって与えられる。
【００５４】
表３に、ＬＴＥ（−Ａ）に定義されたＤＡＳＩ（Ｋ：｛ｋ0，ｋ1，…，ｋM-1｝）を示す。表３は、ＡＣＫ／ＮＡＣＫを伝送するＵＬサブフレームの立場でＵＬサブフレーム自身に関連しているＤＬサブフレームとの間隔を示す。具体的に、サブフレームｎ−ｋ（ｋ∈Ｋ）にＰＤＳＣＨ伝送及び／または（下りリンク）ＳＰＳ解除を指示するＰＤＣＣＨがある場合に、端末はサブフレームｎでＡＣＫ／ＮＡＣＫを伝送する。
【００５５】
【表７】
0005981582.tif 000008
【００５６】
ＴＤＤで端末がＡＣＫ／ＮＡＣＫ信号を伝送するときに下記の問題が生じることがある。
【００５７】
・ 複数のサブフレーム区間で基地局が送ったＰＤＣＣＨのうちの一部を端末が逃した場合に、端末は、逃したＰＤＣＣＨに該当するＰＤＳＣＨが自身に伝送された事実さえわからず、ＡＣＫ／ＮＡＣＫ生成時に誤りが発生することがある。
【００５８】
このような誤りを解決するために、ＴＤＤシステムは、ＰＤＣＣＨにＤＡＩ（Ｄｏｗｎｌｉｎｋ  Ａｓｓｉｇｎｍｅｎｔ  Ｉｎｄｅｘ）を含める。ＤＡＩは、ＤＬサブフレーム
【数１】
0005981582.tif 000009
内で現在サブフレームまでのＰＤＳＣＨに対応するＰＤＣＣＨ及び（下りリンク）ＳＰＳ解除を指示するＰＤＣＣＨの累積値（すなわち、カウンティング値）を表す。例えば、３個のＤＬサブフレームが一つのＵＬサブフレームに対応する場合に、３個のＤＬサブフレーム区間に伝送される下りリンクスケジューリング−関連ＰＤＣＣＨ（例、ＰＤＳＣＨに対応するＰＤＣＣＨ、下りリンクＳＰＳ解除ＰＤＣＣＨ）に順次にインデックスを付与（すなわち、順次にカウント）して、ＰＤＳＣＨをスケジューリングするＰＤＣＣＨに乗せて送る。端末は、ＰＤＣＣＨに含まれているＤＡＩ情報から、これまでのＰＤＣＣＨを正しく受信したか否かが確認できる。便宜上、ＰＤＳＣＨ−スケジューリングＰＤＣＣＨ及び（下りリンク）ＳＰＳ解除ＰＤＣＣＨに含まれたＤＡＩを、ＤＬ ＤＡＩ、ＤＡＩ−ｃ（ｃｏｕｎｔｅｒ）と呼んだり、または、簡単にＤＡＩと呼ぶこともできる。
【００５９】
表４に、ＤＬ ＤＡＩフィールドが指示する値
【数２】
0005981582.tif 000010
を示す。
【００６０】
【表８】
0005981582.tif 000011
【００６１】
図７には、キャリアアグリゲーション（Ｃａｒｒｉｅｒ  Ａｇｇｒｅｇａｔｉｏｎ、ＣＡ）通信システムを例示する。ＬＴＥ−Ａシステムは、より広い周波数帯域を用いるために複数のＵＬ／ＤＬ周波数ブロックを束ねてより大きいＵＬ／ＤＬ帯域幅を用いるキャリアアグリゲーション（ｃａｒｒｉｅｒ  ａｇｇｒｅｇａｔｉｏｎまたはｂａｎｄｗｉｄｔｈ  ａｇｇｒｅｇａｔｉｏｎ）技術を用いる。各周波数ブロックは、コンポーネントキャリア（Ｃｏｍｐｏｎｅｎｔ  Ｃａｒｒｉｅｒ、ＣＣ）を用いて伝送される。コンポーネントキャリアは、該当の周波数ブロックのためのキャリア周波数（または、中心キャリア、中心周波数）と理解すればよい。
【００６２】
図７を参照すると、複数のＵＬ／ＤＬコンポーネントキャリア（Ｃｏｍｐｏｎｅｎｔ  Ｃａｒｒｉｅｒ、ＣＣ）を束ねてより広いＵＬ／ＤＬ帯域幅を支援することができる。ＣＣは周波数領域で互いに隣接しても、非隣接してもよい。各ＣＣの帯域幅は独立して定められてもよい。ＵＬ ＣＣの個数とＤＬ ＣＣの個数とが異なる非対称キャリアアグリゲーションも可能である。例えば、２個のＤＬ ＣＣ及び１個のＵＬ ＣＣの場合は２：１で対応するように構成可能である。ＤＬ ＣＣ／ＵＬ ＣＣリンクは、システムに固定されていてもよく、半静的に構成されてもよい。また、システム全体帯域がＮ個のＣＣで構成されていても、特定端末がモニタリング／受信し得る周波数帯域をＭ（＜Ｎ）個のＣＣに限定することができる。キャリアアグリゲーションに関する種々のパラメータは、セル特定（ｃｅｌｌ−ｓｐｅｃｉｆｉｃ）、端末グループ特定（ＵＥ  ｇｒｏｕｐ−ｓｐｅｃｉｆｉｃ）または端末特定（ＵＥ−ｓｐｅｃｉｆｉｃ）方式で設定することができる。一方、制御情報は特定ＣＣを通じてのみ送受信されるように設定することができる。このような特定ＣＣをプライマリＣＣ（Ｐｒｉｍａｒｙ  ＣＣ、ＰＣＣ）（またはアンカーＣＣ）と呼び、残りのＣＣをセカンダリＣＣ（Ｓｅｃｏｎｄａｒｙ  ＣＣ、ＳＣＣ）と呼ぶことができる。
【００６３】
ＬＴＥ−Ａは、無線リソースを管理するためにセル（ｃｅｌｌ）の概念を用いる。セルは、下りリンクリソースと上りリンクリソースとの組み合わせで定義され、ここで、上りリンクリソースは必須要素ではない。そのため、セルは、下りリンクリソース単独で構成されることもあり、または下りリンクリソース及び上りリンクリソースの両方で構成されることもある。キャリアアグリゲーションが支援される場合に、下りリンクリソースのキャリア周波数（または、ＤＬ ＣＣ）と上りリンクリソースのキャリア周波数（または、ＵＬ ＣＣ）間のリンケージ（ｌｉｎｋａｇｅ）はシステム情報により指示可能である。プライマリ周波数（またはＰＣＣ）上で動作するセルをプライマリセル（Ｐｒｉｍａｒｙ  Ｃｅｌｌ、ＰＣｅｌｌ）と呼び、セカンダリ周波数（またはＳＣＣ）上で動作するセルをセカンダリセル（Ｓｅｃｏｎｄａｒｙ  Ｃｅｌｌ、ＳＣｅｌｌ）と呼ぶことができる。ＰＣｅｌｌは、端末が初期接続確立（ｉｎｉｔｉａｌ  ｃｏｎｎｅｃｔｉｏｎ  ｅｓｔａｂｌｉｓｈｍｅｎｔ）過程を行ったり、接続再確立過程を行うのに用いられる。ＰＣｅｌｌは、ハンドオーバー過程で指示されたセルを意味することもできる。ＳＣｅｌｌは、ＲＲＣ接続が確立された後に構成可能であり、追加の無線リソースを提供するのに用いることができる。ＰＣｅｌｌとＳＣｅｌｌはサービングセルと総称されてもよい。そのため、ＲＲＣ＿ＣＯＮＮＥＣＴＥＤ状態にあるが、キャリアアグリゲーションが設定されていないか、キャリアアグリゲーションを支援しない端末の場合は、ＰＣｅｌｌのみで構成されたサービングセルが一つのみ存在する。一方、ＲＲＣ＿ＣＯＮＮＥＣＴＥＤ状態にあり、且つキャリアアグリゲーションが設定された端末の場合は、一つ以上のサービングセルが存在し、全体サービングセルにはＰＣｅｌｌと全体ＳＣｅｌｌが含まれる。キャリアアグリゲーションのために、ネットワークは、初期保安活性化（ｉｎｉｔｉａｌ  ｓｅｃｕｒｉｔｙ  ａｃｔｉｖａｔｉｏｎ）過程が開始された後、接続確立過程で初期に構成されるＰＣｅｌｌに加えて一つ以上のＳＣｅｌｌを、キャリアアグリゲーションを支援する端末のために構成することができる。
【００６４】
クロス−キャリアスケジューリング（または、クロス−ＣＣスケジューリング）が適用される場合に、下りリンク割当のためのＰＤＣＣＨをＤＬ ＣＣ＃０で伝送し、該当のＰＤＳＣＨをＤＬ ＣＣ＃２で伝送することができる。クロス−ＣＣスケジューリングのためにキャリア指示フィールド（ｃａｒｒｉｅｒ  ｉｎｄｉｃａｔｏｒ  ｆｉｅｌｄ、ＣＩＦ）の導入を考慮できる。ＰＤＣＣＨ内でのＣＩＦ存在の有無は、上位層シグナリング（例、ＲＲＣシグナリング）によって半−静的及び端末−特定（または、端末グループ−特定）方式で設定することができる。ＰＤＣＣＨ伝送のベースラインを要約すると、下記の通りである。
【００６５】
− ＣＩＦディスエーブルド（ｄｉｓａｂｌｅｄ）：ＤＬ ＣＣ上のＰＤＣＣＨが同一ＤＬ ＣＣ上のＰＤＳＣＨリソースを割り当てたり、一つのリンクされたＵＬ ＣＣ上のＰＵＳＣＨリソースを割り当て
− ＣＩＦイネーブルド（ｅｎａｂｌｅｄ）：ＤＬ ＣＣ上のＰＤＣＣＨがＣＩＦを用いて、複数の束ねられたＤＬ／ＵＬ ＣＣのうち、特定ＤＬ／ＵＬ ＣＣ上のＰＤＳＣＨまたはＰＵＳＣＨリソースを割り当て可能
【００６６】
ＣＩＦが存在する場合に、基地局は、端末側のＢＤ複雑度を軽減するためにＰＤＣＣＨモニタリングＤＬ ＣＣセットを割り当てることができる。ＰＤＣＣＨモニタリングＤＬ ＣＣセットは、束ねられた全体ＤＬ ＣＣの一部であり、一つ以上のＤＬ ＣＣを含み、端末は、該当のＤＬ ＣＣ上でのみＰＤＣＣＨの検出／デコーディングを行う。すなわち、基地局が端末にＰＤＳＣＨ／ＰＵＳＣＨをスケジューリングする場合に、ＰＤＣＣＨはＰＤＣＣＨモニタリングＤＬ ＣＣセットを用いてのみ伝送される。ＰＤＣＣＨモニタリングＤＬ ＣＣセットは、端末−特定（ＵＥ−ｓｐｅｃｉｆｉｃ）、端末−グループ−特定、またはセル−特定（ｃｅｌｌ−ｓｐｅｃｉｆｉｃ）方式で設定される。「ＰＤＣＣＨモニタリングＤＬ ＣＣ」という用語は、モニタリングキャリア、モニタリングセルのような等価の用語に代えてもよい。また、端末のために束ねられたＣＣは、サービングＣＣ、サービングキャリア、サービングセルのような等価の用語に代えてもよい。
【００６７】
図８は、複数のキャリアが束ねられた場合のスケジューリングを例示する。同図では３個のＤＬ ＣＣが束ねられたとし、ＤＬ ＣＣ ＡがＰＤＣＣＨモニタリングＤＬ ＣＣとして設定されたとする。ＤＬ ＣＣ Ａ〜ＣをサービングＣＣ、サービングキャリア、サービングセルなどと呼ぶこともできる。ＣＩＦがディセーブルされた場合に、それぞれのＤＬ ＣＣは、ＬＴＥ ＰＤＣＣＨ規則によってＣＩＦ無しで自身のＰＤＳＣＨをスケジューリングするＰＤＣＣＨのみを伝送することができる。一方、ＣＩＦがイネーブルされた場合には、ＤＬ ＣＣ Ａ（モニタリングＤＬ ＣＣ）は、ＣＩＦを用いて、ＤＬ ＣＣ ＡのＰＤＳＣＨをスケジューリングするＰＤＣＣＨだけでなく、他のＣＣのＰＤＳＣＨをスケジューリングするＰＤＣＣＨも伝送することができる。この場合、ＰＤＣＣＨモニタリングＤＬ ＣＣに設定されないＤＬ ＣＣ Ｂ／ＣではＰＤＣＣＨが伝送されない。
【００６８】
ＬＴＥ−Ａは、ＤＬ ＰＣＣに対してはクロス−キャリアスケジューリングを許容するが、ＤＬＳＣＣに対してはセルフ−キャリアスケジューリングのみを許容することを考慮している。この場合、ＤＬ ＰＣＣ上のＰＤＳＣＨをスケジューリングするＰＤＣＣＨはＤＬ ＰＣＣ上でのみ伝送される反面、ＤＬ ＳＣＣ上のＰＤＳＣＨをスケジューリングするＰＤＣＣＨは、ＤＬ ＰＣＣ上で伝送されたり（クロス−キャリアスケジューリング）、あるいは、該当のＤＬ ＳＣＣ上で伝送される（セルフ−キャリアスケジューリング）。
【００６９】
ＣＡベースのＴＤＤシステムにおけるＡＣＫ／ＮＡＣＫの伝送
【００７０】
ＣＡベースのＴＤＤシステムにおいてＡＣＫ／ＮＡＣＫ伝送のために新しい形態の改善されたＰＵＣＣＨフォーマット（Ｅｎｈａｎｃｅｄ  ＰＵＣＣＨフォーマット、Ｅ−ＰＵＣＣＨフォーマット）（すなわち、ＰＵＣＣＨフォーマット３）が導入された。ＦＤＤでは、Ｅ−ＰＵＣＣＨフォーマット（すなわち、ＰＵＣＣＨフォーマット３）を、該当の端末に複数のセル（あるいはＣＣ）が構成された場合に設定することができる。一方、ＴＤＤでは、Ｅ−ＰＵＣＣＨフォーマット（すなわち、ＰＵＣＣＨフォーマット３）を、該当の端末に一つ以上のセル（あるいは、ＣＣ）が構成された場合に設定することができる。
【００７１】
図９には、スロットレベルのＥ−ＰＵＣＣＨフォーマットを例示する。Ｅ−ＰＵＣＣＨフォーマットで、複数のＡＣＫ／ＮＡＣＫ情報は、ジョイントコーディング（例、Ｒｅｅｄ−Ｍｕｌｌｅｒ  ｃｏｄｅ、Ｔａｉｌ−ｂｉｔｉｎｇ  ｃｏｎｖｏｌｕｔｉｏｎａｌ  ｃｏｄｅなど）、ブロック−拡散（Ｂｌｏｃｋ−ｓｐｒｅａｄｉｎｇ）、ＳＣ−ＦＤＭＡ変調を経て伝送される。
【００７２】
図９を参照すると、一つのシンボルシーケンスが周波数領域にわたって伝送され、該シンボルシーケンスに対してＯＣＣ（Ｏｒｔｈｏｇｏｎａｌ  Ｃｏｖｅｒ  Ｃｏｄｅ）ベースの時間−ドメイン拡散が適用される。ＯＣＣを用いて同じＲＢに複数の端末の制御信号が多重化できる。具体的に、長さ−５（ＳＦ（Ｓｐｒｅａｄｉｎｇ  Ｆａｃｔｏｒ）＝５）のＯＣＣ（Ｃ１〜Ｃ５）を用いて、一つのシンボルシーケンス（｛ｄ１，ｄ２，…｝）から５個のＳＣ−ＦＤＭＡシンボル（すなわち、ＵＣＩデータパート）を生成する。ここで、シンボルシーケンス（｛ｄ１，ｄ２，…｝）は、変調シンボルシーケンスまたはコードワードビットシーケンスを意味できる。シンボルシーケンス（｛ｄ１，ｄ２，…｝）がコードワードビットシーケンスを意味すると、図９のブロック図は、変調ブロックをさらに含む。同図では、１スロットにおいて２個のＲＳシンボル（すなわち、ＲＳパート）が使われた場合を示しているが、３個のＲＳシンボルで構成されたＲＳパートとＳＦ＝４ ＯＣＣを用いて構成されたＵＣＩデータパートを使用するなど、様々な応用を考慮してもよい。ここで、ＲＳシンボルは、特定サイクリックシフトを有するＣＡＺＡＣ（Ｃｏｎｓｔａｎｔ  Ａｍｐｌｉｔｕｄｅ  Ｚｅｒｏ  Ａｕｔｏｃｏｒｒｅｌａｔｉｏｎ  Ｓｅｑｕｅｎｃｅｓ）シーケンスから生成可能である。また、ＲＳは、時間領域の複数ＲＳシンボルに特定ＯＣＣが適用された（掛けられた）形態で伝送されうる。
【００７３】
図１０は、サブフレームレベルでＥ−ＰＵＣＣＨフォーマット（すなわち、ＰＵＣＣＨフォーマット３）を例示する。
【００７４】
【表９】
0005981582.tif 000012
【００７５】
Ｅ−ＰＵＣＣＨフォーマット（すなわち、ＰＵＣＣＨフォーマット３）についての詳細は、本発明の最初優先日（２０１１．０５．１７）前に公開された３ＧＰＰ ＴＳ（ｔｅｃｈｎｉｃａｌ  ｓｐｅｃｉｆｉｃａｔｉｏｎ）３６．２１１  Ｖ１０．１．０（２０１１．０３）、３６．２１２  Ｖ１０．１．０（２０１１．０３）及び３６．２１３  Ｖ１０．１．０（２０１１．０３）を参照すればいい。３６．２１３  Ｖ１０．１．０「７．３  ＵＥ  ｐｒｏｃｅｄｕｒｅ  ｆｏｒ  ｒｅｐｏｒｔｉｎｇ  ＨＡＲＱ−ＡＣＫ」を参照して、ＰＵＣＣＨフォーマット３のためのＡＣＫ／ＮＡＣＫペイロード構成方法について説明する。ＰＵＣＣＨフォーマット３のためのＡＣＫ／ＮＡＣＫペイロードはセル別に構成された後、セルインデックス順に連接される。
【００７６】
【表１０】
0005981582.tif 000013
【００７７】
【表１１】
0005981582.tif 000014
【００７８】
図１１は、従来のＰＵＣＣＨフォーマット３を用いたＨＡＲＱ−ＡＣＫ伝送過程を示す図である。
【００７９】
図１１を参照すると、基地局は端末に一つ以上のＰＤＣＣＨ及び／または一つ以上のＰＤＳＣＨを伝送する（Ｓ１１０２）。ここで、ＰＤＣＣＨは、（ｉ）対応するＰＤＳＣＨがあるＰＤＣＣＨ、（ii）対応するＰＤＳＣＨがないＰＤＣＣＨ（例、ＳＰＳ解除ＰＤＣＣＨ）を含む。また、ＰＤＳＣＨは、（ｉ）対応するＰＤＣＣＨがあるＰＤＳＣＨ（すなわち、ＰＤＳＣＨ ｗ／ＰＤＣＣＨ）、（ii）対応するＰＤＣＣＨがないＰＤＳＣＨ（すなわち、ＰＤＳＣＨ ｗ／ｏ ＰＤＣＣＨ）（例、ＳＰＳ ＰＤＳＣＨ）を含む。その後、端末は、ＰＵＣＣＨフォーマット３を用いて伝送するための制御情報を生成する。制御情報は、上記の一つ以上のＰＤＣＣＨ及び／または一つ以上のＰＤＳＣＨ、好ましくはＳＰＳ解除ＰＤＣＣＨ、ＰＤＳＣＨ ｗ／ＰＤＣＣＨ、ＰＤＳＣＨ ｗ／ｏ ＰＤＳＣＨに対するＨＡＲＱ−ＡＣＫ情報を含む。ＨＡＲＱ−ＡＣＫがＳＲサブフレームで伝送される場合に、制御情報はＳＲビットをさらに含む。ＨＡＲＱ−ＡＣＫビット列の末尾（あるいは、先頭）にＳＲビットが付加される。図１１及び図１２に例示した過程により、制御情報からＰＵＣＣＨフォーマット３信号が生成される。端末は、ＰＵＣＣＨ伝送のためにＰＵＣＣＨ伝送電力を設定し（Ｓ１１０４）、ＰＵＣＣＨフォーマット３信号は電力制御などの過程を経て基地局に伝送される（Ｓ１１０６）。
【００８０】
以下、従来のＰＵＣＣＨ伝送電力設定（Ｓ１１０４）についてより具体的に説明する。ＰＵＣＣＨフォーマット３を中心に説明する。サービングセルｃがプライマリセルの場合に、サブフレームｉでＰＵＣＣＨ伝送のための端末伝送電力は、下記のように与えられる。
【００８１】
【数３】
0005981582.tif 000015
【００８２】
【数４】
0005981582.tif 000016
は、サービングセルｃのために設定された伝送電力の上限値、具体的に、サービングセルｃのためにサブフレームｉに定義された端末伝送電力、より具体的にはサービングセルｃのためにサブフレームｉに定義された端末最大伝送電力を表す。
【００８３】
【表１２】
0005981582.tif 000017
【００８４】
【表１３】
0005981582.tif 000018
【００８５】
【表１４】
0005981582.tif 000019
【００８６】
【表１５】
0005981582.tif 000020
【００８７】
【表１６】
0005981582.tif 000021
【００８８】
【表１７】
0005981582.tif 000022
【００８９】
ここで、
【数５】
0005981582.tif 000023
は０または１の値を有し、ＳＲと関連してＰＵＣＣＨ電力を制御するのに用いられる。
【００９０】
ここで、
【数６】
0005981582.tif 000024
は、ＨＡＲＱ−ＡＣＫと関連してＰＵＣＣＨ電力を制御するのに用いられる。
【００９１】
ＴＤＤ ＵＬ−ＤＬ構成０の場合（表１）、
【数７】
0005981582.tif 000025
は下記式２によって与えられる。
【００９２】
【数８】
0005981582.tif 000026
【００９３】
【表１８】
0005981582.tif 000027
【００９４】
ＴＤＤ ＵＬ−ＤＬ構成１−６の場合（表１）、
【数９】
0005981582.tif 000028
は下記式３によって与えられる。
【００９５】
【数１０】
0005981582.tif 000029
【００９６】
【表１９】
0005981582.tif 000030
【００９７】
【表２０】
0005981582.tif 000031
【００９８】
【表２１】
0005981582.tif 000032
【００９９】
【表２２】
0005981582.tif 000033
【０１００】
【表２３】
0005981582.tif 000034
【０１０１】
図１２は、ＨＡＲＱ−ＡＣＫペイロード構成及びそれによるＰＵＣＣＨフォーマット３電力制御を例示する。便宜上、同図では、端末に対して２つのサービングセル（サービングセル＃０、＃１）が構成され、Ｍ＝４の場合（例、ＵＬ−ＤＬ構成＃２、＃４）を例示する。同図では、それぞれのサービングセルが一つの伝送ブロック伝送を支援する伝送モードに設定されたり、空間バンドリングが適用されるように設定されたと仮定する。同図で、ＤＬ ＳＦインデックスは、Ｍ個のＤＬ ＳＦの順序を論理的に表し、実際のＤＬ ＳＦのインデックスはこれと異なるように与えられることもある。同図は、ノンクロスＣＣスケジューリング、クロスＣＣスケジューリングのいずれにも適用可能である。
【０１０２】
図１２を参照すると、基地局はサービングセル＃０で３個のＰＤＣＣＨを端末に伝送し、それぞれのＰＤＣＣＨにはＤＡＩ−ｃ＝１、ＤＡＩ−ｃ＝２、ＤＡＩ−ｃ＝３が含まれている。また、基地局は、サービングセル＃１で２個のＰＤＣＣＨを端末に伝送し、それぞれのＰＤＣＣＨにはＤＡＩ−ｃ＝１、ＤＡＩ−ｃ＝２が含まれている。この場合、端末はサービングセル＃０で３個のＰＤＣＣＨを全て検出し（すなわち、
【数１１】
0005981582.tif 000035
サービングセル＃１で２番目のＰＤＣＣＨのみを検出したと仮定する（すなわち、
【数１２】
0005981582.tif 000036
図９及び図１０で説明したように、ＰＵＣＣＨフォーマット３が設定された場合に、各サービングセルのためのＨＡＲＱ−ＡＣＫビットの数は、ＵＬ−ＤＬ構成によるＭ値、伝送モード、空間バンドリングの有無によって決定され、実際に該当のＤＬサブフレームでＰＤＣＣＨ及び／またはＰＤＳＣＨ伝送があったか否かは考慮されない。本例の場合、Ｍ＝４で、且つ空間バンドリングが適用される状況であるから、端末は、セル別にＨＡＲＱ−ＡＣＫ ４−ビットを生成し、それをセルインデックス順に連接する。
【０１０３】
【表２４】
0005981582.tif 000037
【０１０４】
【表２５】
0005981582.tif 000038
【０１０５】
【表２６】
0005981582.tif 000039
【０１０６】
ＤＬ ＳＦ：ＵＬ ＳＦ＝９：１のＴＤＤ構成（例、表１のＵＬ−ＤＬ構成５）まで考慮する場合、２−ビットＤＡＩ−ｃには下記のｍｏｄｕｌｏ−４演算が適用される。
−  １、５または９番目のスケジューリングされるＰＤＳＣＨまたはＤＬグラントＰＤＣＣＨのＤＡＩ−ｃ＝１
−  ２または６番目のスケジューリングされるＰＤＳＣＨまたはＤＬグラントＰＤＣＣＨのＤＡＩ−ｃ＝２
−  ３または７番目のスケジューリングされるＰＤＳＣＨまたはＤＬグラントＰＤＣＣＨのＤＡＩ−ｃ＝３
−  ４または８番目のスケジューリングされるＰＤＳＣＨまたはＤＬグラントＰＤＣＣＨのＤＡＩ−ｃ＝４
【０１０７】
図１３に、上述した従来のＰＵＣＣＨフォーマット３電力制御方法の問題点を例示する。本例は、端末に一つのセルが構成された場合を取り上げる。端末に複数のセルが構成される場合には、図１２に例示した方法を適用することができる。本例は、Ｍ＝９の場合（例、ＵＬ−ＤＬ構成＃５）を例示する。本例は、サービングセルが一つの伝送ブロック伝送を支援する伝送モードに設定されたり、空間バンドリングが適用されるように設定されたと仮定する。同図で、ＤＬ ＳＦインデックスは、Ｍ個のＤＬ ＳＦの順序を論理的に表し、実際にＤＬ ＳＦのインデックスはこれと異なるように与えられることもある。
【０１０８】
【表２７】
0005981582.tif 000040
【０１０９】
上述の問題を解消するために、本発明では、Ｍ＞４の場合に適用可能な電力制御パラメータ
【数１３】
0005981582.tif 000041
の決定方式を提案する。以下に提案する方法は、Ｍ≦４の場合にも一般的に適用可能である。
【０１１０】
図１４に、本発明の一実施例に係るＰＵＣＣＨフォーマット３伝送過程を示す。
【０１１１】
図１４を参照すると、基地局は端末に一つ以上のＰＤＣＣＨ及び／または一つ以上のＰＤＳＣＨを伝送する（Ｓ１４０２）。ここで、ＰＤＣＣＨは、（ｉ）対応するＰＤＳＣＨがあるＰＤＣＣＨ、（ii）対応するＰＤＳＣＨがないＰＤＣＣＨ（例、ＳＰＳ解除ＰＤＣＣＨ）を含む。また、ＰＤＳＣＨは、（ｉ）対応するＰＤＣＣＨがあるＰＤＳＣＨ（すなわち、ＰＤＳＣＨ ｗ／ＰＤＣＣＨ）、（ii）対応するＰＤＣＣＨがないＰＤＳＣＨ（すなわち、ＰＤＳＣＨ ｗ／ｏ ＰＤＣＣＨ）（例、ＳＰＳ ＰＤＳＣＨ）を含む。その後、端末は、ＰＵＣＣＨフォーマット３を用いて伝送するための制御情報を生成する。制御情報は、上記の一つ以上のＰＤＣＣＨ及び／または一つ以上のＰＤＳＣＨ、好ましくはＳＰＳ解除ＰＤＣＣＨ、ＰＤＳＣＨ ｗ／ＰＤＣＣＨ、ＰＤＳＣＨ ｗ／ｏ ＰＤＳＣＨに対するＨＡＲＱ−ＡＣＫ情報を含む。ＨＡＲＱ−ＡＣＫがＳＲサブフレームで伝送される場合に、制御情報はＳＲビットをさらに含む。ＨＡＲＱ−ＡＣＫビット列の末尾（あるいは先頭）にＳＲビットが付加される。図１１及び図１２に例示した過程により、制御情報からＰＵＣＣＨフォーマット３信号が生成される。端末はＰＵＣＣＨ伝送のためにＰＵＣＣＨ伝送電力を設定し（Ｓ１４０４）、ＰＵＣＣＨフォーマット３信号は電力制御などの過程を経て基地局に伝送される（Ｓ１４０６）。
【０１１２】
本例で、ＰＵＣＣＨ伝送電力設定（Ｓ１４０４）は基本的に式１によって行われる。すなわち、サービングセルｃがプライマリセルである場合に、サブフレームｉでＰＵＣＣＨ伝送のための端末伝送電力は下記のように与えられる。
【数１４】
0005981582.tif 000042
【０１１３】
【表２８】
0005981582.tif 000043
【０１１４】
ここで、
【数１５】
0005981582.tif 000044
は、本発明で提案する式４によって与えることができる。
【０１１５】
【数１６】
0005981582.tif 000045
【０１１６】
【表２９】
0005981582.tif 000046
【０１１７】
【表３０】
0005981582.tif 000047
【０１１８】
【表３１】
0005981582.tif 000048
【０１１９】
式４と等価の表現であって、本発明で提案する式５によって
【数１７】
0005981582.tif 000049
が与えられてもよい。
【０１２０】
【数１８】
0005981582.tif 000050
【０１２１】
【表３２】
0005981582.tif 000051
【０１２２】
式４及び式５でも、サービングセルで検出に失敗したＰＤＣＣＨの個数が４以上の場合には誤りが生じることがあるが、その確率は極めて低い。したがって、本提案方法によれば、安定且つ効率的に電力制御を行うことができる。
【０１２３】
図１５は、本発明の実施例に係るＰＵＣＣＨフォーマット３電力制御を例示する。本例は、端末に一つのセルが構成された場合を仮定する。端末に複数のセルが構成される場合は、図１２に例示した方法を適用することができる。本例は、ＵＬ−ＤＬ構成によってＭ＝９の場合（例、ＵＬ−ＤＬ構成＃５）を例示する。本例は、サービングセルが一つの伝送ブロック伝送を支援する伝送モードに設定されたり、空間バンドリングが適用されるように設定されたと仮定する。同図で、ＤＬ ＳＦインデックスはＭ個のＤＬ ＳＦの順序を論理的に表し、実際のＤＬ ＳＦのインデックスはこれと異なるように与えられることもある。
【０１２４】
【表３３】
0005981582.tif 000052
【０１２５】
【表３４】
0005981582.tif 000053
【０１２６】
図１６には、本発明に実施例に適用されうる基地局及び端末を例示する。
【０１２７】
図１６を参照すると、無線通信システムは、基地局（ＢＳ）１１０及び端末（ＵＥ）１２０を含む。基地局１１０は、プロセッサ１１２、メモリー１１４及び無線周波数（Ｒａｄｉｏ  Ｆｒｅｑｕｅｎｃｙ：ＲＦ）ユニット１１６を含む。プロセッサ１１２は、本発明で提案した手順及び／または方法を具現するように構成することができる。メモリー１１４は、プロセッサ１１２に接続し、プロセッサ１１２の動作と関連した種々の情報を記憶する。ＲＦユニット１１６は、プロセッサ１１２に接続し、無線信号を送信及び／または受信する。端末１２０は、プロセッサ１２２、メモリー１２４及びＲＦユニット１２６を含む。プロセッサ１２２は、本発明で提案した手順及び／または方法を具現するように構成することができる。メモリー１２４は、プロセッサ１２２に接続し、プロセッサ１２２の動作と関連した種々の情報を記憶する。ＲＦユニット１２６は、プロセッサ１２２に接続し、無線信号を送信及び／または受信する。基地局１１０及び／または端末１２０は、単一アンテナまたは多重アンテナを有することができる。
【０１２８】
以上説明してきた実施例は、本発明の構成要素及び特徴を所定形態に結合したものである。各構成要素または特徴は、別の明示的な言及がない限り、選択的なものとして考慮しなければならない。各構成要素または特徴は、他の構成要素や特徴と結合しない形態で実施することもでき、一部の構成要素及び／または特徴を結合して本発明の実施例を構成することもできる。本発明の実施例で説明される動作の順序は変更可能である。ある実施例の一部構成や特徴は、別の実施例に含まれることもでき、別の実施例の対応する構成または特徴に取って代わることもできる。特許請求の範囲において明示的な引用関係にない請求項を結合して実施例を構成したり、出願後の補正により新しい請求項として含めたりすることができることは明らかである。
【０１２９】
本文書で、本発明の実施例は主に端末と基地局間のデータ送受信関係を中心に説明されている。本文書で基地局により行われるとした特定動作は、場合によっては、その上位ノード（ｕｐｐｅｒ  ｎｏｄｅ）により行われてもよい。すなわち、基地局を含む複数のネットワークノード（ｎｅｔｗｏｒｋ  ｎｏｄｅｓ）からなるネットワークにおいて端末との通信のために行われる種々の動作は、基地局または基地局以外の別のネットワークノードにより実行され得ることは明らかである。基地局は、固定局（ｆｉｘｅｄ  ｓｔａｔｉｏｎ）、Ｎｏｄｅ Ｂ、ｅＮｏｄｅ Ｂ（ｅＮＢ）、アクセスポイント（ａｃｃｅｓｓ  ｐｏｉｎｔ）などの用語に代替可能である。また、端末は、ＵＥ（Ｕｓｅｒ  Ｅｑｕｉｐｍｅｎｔ）、ＭＳ（Ｍｏｂｉｌｅ  Ｓｔａｔｉｏｎ）、ＭＳＳ（Ｍｏｂｉｌｅ  Ｓｕｂｓｃｒｉｂｅｒ  Ｓｔａｔｉｏｎ）などの用語に代替可能である。
【０１３０】
本発明に係る実施例は様々な手段、例えば、ハードウェア、ファームウェア（ｆｉｒｍｗａｒｅ）、ソフトウェアまたはそれらの結合などにより具現することができる。ハードウェアによる具現の場合、本発明の一実施例は、一つまたはそれ以上のＡＳＩＣｓ（ａｐｐｌｉｃａｔｉｏｎ  ｓｐｅｃｉｆｉｃ  ｉｎｔｅｇｒａｔｅｄ  ｃｉｒｃｕｉｔｓ）、ＤＳＰｓ（ｄｉｇｉｔａｌ  ｓｉｇｎａｌ  ｐｒｏｃｅｓｓｏｒｓ）、ＤＳＰＤｓ（ｄｉｇｉｔａｌ  ｓｉｇｎａｌ  ｐｒｏｃｅｓｓｉｎｇ  ｄｅｖｉｃｅｓ）、ＰＬＤｓ（ｐｒｏｇｒａｍｍａｂｌｅ  ｌｏｇｉｃ  ｄｅｖｉｃｅｓ）、ＦＰＧＡｓ（ｆｉｅｌｄ  ｐｒｏｇｒａｍｍａｂｌｅ  ｇａｔｅ  ａｒｒａｙｓ）、プロセッサ、コントローラ、マイクロコントローラ、マイクロプロセッサなどにより具現することができる。
【０１３１】
ファームウェアやソフトウェアによる具現の場合、本発明の一実施例は、以上で説明された機能または動作を行うモジュール、手順、関数などの形態とすることができる。ソフトウェアコードは、メモリユニットに記憶されて、プロセッサにより駆動される構成とすることができる。メモリユニットは、プロセッサの内部または外部に設けられて、既に公知の様々な手段によりプロセッサとデータを交換することができる。
【０１３２】
本発明は、本発明の特徴から逸脱しない範囲で別の特定の形態に具体化し得るということは、当業者にとっては自明である。したがって、上記の詳細な説明は、いずれの面においても制限的に解釈されてはならず、例示的なものとして考慮されなければならない。本発明の範囲は、添付の請求項の合理的な解釈により決定すべきであり、本発明の等価的範囲内における変更はいずれも本発明の範囲に含まれる。
【産業上の利用可能性】
【０１３３】
本発明は、端末、リレー、基地局などのような無線通信装置に利用可能である。
【図１】
0005981582.tif 000064
【図２】
0005981582.tif 000065
【図３】
0005981582.tif 000066
【図４】
0005981582.tif 000067
【図５】
0005981582.tif 000068
【図６】
0005981582.tif 000069
【図７】
0005981582.tif 000070
【図８】
0005981582.tif 000071
【図９】
0005981582.tif 000072
【図１０】
0005981582.tif 000073
【図１１】
0005981582.tif 000074
【図１２】
0005981582.tif 000075
【図１３】
0005981582.tif 000076
【図１４】
0005981582.tif 000077
【図１５】
0005981582.tif 000078
【図１６】
0005981582.tif 000079